(57)【要約】【課題】  従来のパチスロ機では、受け皿に貯留されているメダルをメダル投入口に投入するのに手間がかかっていた。【解決手段】  メダル受け皿３７の底面７０は、メダル受け皿３７の左方の側壁７１から右方の側壁７２にかけて下り傾斜している。底面７０と側壁７２とが接する位置には、側壁７２を貫通して底面７０と連通したメダル投入口７３が開口している。メダル払出口３８から払い出されてメダル受け皿３７に貯留されたメダルＣは、その自重により、底面７０上を右方の側壁７２方向へ滑り落ちていき、メダル投入口７３に投入される。メダル投入口７３に投入されたメダルＣは、移送ベルト８１，８３によってバケット５３上方まで揚送され、バケット５３内に落下して貯蔵される。【選択図】  図３
2006197984.tif 000002
【特許請求の範囲】
【請求項１】
遊技媒体が投入される遊技媒体投入口と、この遊技媒体投入口に投入された遊技媒体を貯蔵する貯蔵部と、この貯蔵部に貯蔵された遊技媒体が払い出される遊技媒体払出口と、この遊技媒体払出口から払い出された遊技媒体を貯留する受け皿とを備えて構成される遊技機において、
前記受け皿の底面は、前記遊技媒体払出口の下方において、前記受け皿の一方の側壁から他方の側壁にかけて下り傾斜しており、前記遊技媒体投入口は、前記他方の側壁を貫通して前記底面と連通して開口していることを特徴とする遊技機。
【請求項２】
前記遊技媒体投入口と前記貯蔵部との間に、前記遊技媒体投入口に投入された遊技媒体を前記貯蔵部に揚送する遊技媒体揚送部を備えていることを特徴とする請求項１に記載の遊技機。
【発明の詳細な説明】
【技術分野】
【０００１】
本発明は、払い出された遊技媒体を貯留する受け皿を備えた遊技機に関するものである。
【背景技術】
【０００２】
従来、この種の遊技機としては、例えば、下記の特許文献１に開示されているパチスロ機がある。このパチスロ機では、メダル投入口の溝の長手方向が、遊技者から機器前面に向かう縦方向に形成されている。メダル投入口へのメダル投入によって遊技が開始し、リールに所定の図柄組合せが揃って入賞が発生した場合、入賞役に応じた枚数のメダルが受け皿に払い出される。この構成によれば、メダルの連続投入が容易となってパチスロ遊技をスムーズに進めることができ、遊技者はパチスロ遊技に集中することができるようになる。
【０００３】
また、下記の特許文献２には、メダル放出口から払い出されたメダルが貯留されるメダル貯留部、およびメダルを投入するためのメダル投入部が形成された受け皿を備えたパチスロ機が開示されている。メダル投入部の機器本体前面と接する部分には、メダルが投入されるメダル投入口が形成されている。メダル投入部にメダルを整列させて機器前面方向へスライドさせると、メダルはメダル投入口に順次投入され、投入されたメダルはメダル搬送機構によってメダルタンクへ運ばれて貯蔵される。メダルタンクに貯蔵されたメダルは、遊技結果に基づいて、メダル放出口より受け皿に払い出される。この構成によれば、メダル貯留部に貯留されたメダルを手でかき集めてメダル投入部まで腕をスライドさせるだけで、メダルをメダル投入口近傍まで運ぶことができる。このため、受け皿に貯留されたメダルの投入作業が簡略化され、遊技者は、楽にメダルを投入することができるようになる。
【特許文献１】特開２０００−１６７１０８号公報（段落[００１３]〜[００１７]）
【特許文献２】特開２０００−１０７３４６号公報（段落[００１３]〜[００１７]）
【発明の開示】
【発明が解決しようとする課題】
【０００４】
しかしながら、上記の特許文献１に示すパチスロ機では、受け皿とメダル投入口とが上下に離れている。このため、受け皿に貯留されているメダルをメダル投入口に投入する度に手を上下に移動させる必要があり、長時間にわたって遊技を行なうと腕が疲れてしまう。一方、上記の特許文献２に示すパチスロ機では、受け皿とメダル投入口とが近接して設けられており、特許文献１に示すパチスロ機に比べてメダルの投入作業が簡略化され、長時間の遊技でも腕は疲れにくくなる。しかしながら、遊技者は、メダル投入部のメダルが少なくなる毎に、メダル貯留部に貯留されたメダルを手でかき集めてメダル投入部に移動させて整列させ、さらに機器前面方向へメダルをスライドさせる必要があるため、手間がかかってしまう。
【課題を解決するための手段】
【０００５】
本発明はこのような課題を解決するためになされたもので、遊技媒体が投入される遊技媒体投入口と、この遊技媒体投入口に投入された遊技媒体を貯蔵する貯蔵部と、この貯蔵部に貯蔵された遊技媒体が払い出される遊技媒体払出口と、この遊技媒体払出口から払い出された遊技媒体を貯留する受け皿とを備えて構成される遊技機において、受け皿の底面は、遊技媒体払出口の下方において、受け皿の一方の側壁から他方の側壁にかけて下り傾斜しており、遊技媒体投入口は、他方の側壁を貫通して底面と連通して開口していることを特徴とする。
【０００６】
この構成によれば、遊技媒体払出口から受け皿に払い出された遊技媒体は、その自重により、受け皿の底面においてその一方の側壁から他方の側壁に向かう方向に滑り落ちていき、他方の側壁に形成された遊技媒体投入口にそのまま突入し、遊技媒体投入口を貫通する。このため、受け皿に払い出される遊技媒体は自動的に遊技媒体投入口に投入されるようになり、従来のように貯留された遊技媒体を手でかき集めて整列させ、さらに機器前面方向へ遊技媒体をスライドさせるといった手間がかからなくなるため、遊技媒体の投入作業が簡略化される。
【０００７】
また、本発明は、遊技媒体投入口と貯蔵部との間に、遊技媒体投入口に投入された遊技媒体を貯蔵部に揚送する遊技媒体揚送部を備えていることを特徴とする。
【０００８】
この構成によれば、遊技媒体投入口に投入された遊技媒体は、遊技媒体揚送部によって貯蔵部に揚送され、貯蔵部内部に貯蔵される。このため、遊技媒体投入口が貯蔵部より低い位置にあっても遊技媒体を貯蔵部まで移動させることができるため、遊技媒体投入口が形成された受け皿を機器前面下部に配置することができるようになる。
【発明の効果】
【０００９】
本発明による遊技機によれば、上記のように、受け皿に払い出される遊技媒体は自動的に遊技媒体投入口に投入されるようになり、遊技媒体の投入作業が簡略化される。
【発明を実施するための最良の形態】
【００１０】
次に、本発明を実施するための最良の形態について説明する。
【００１１】
図１は、本実施形態によるパチスロ機１の外観を示す正面図である。
【００１２】
パチスロ機１の前面扉の正面中央部には、３個のリール２，３，４が回転自在に設けられている。各リール２〜４の外周面には複数種類の図柄（以下、シンボルという）から成るシンボル列が描かれている。これらのシンボルはパチスロ機１の正面の表示窓５，６，７を通してそれぞれ３個ずつ観察される。これらの表示窓５〜７には、横３本と斜め２本の計５本の入賞ラインＬ１，Ｌ２Ａ，Ｌ２Ｂ，Ｌ３Ａ，Ｌ３Ｂが設けられている。表示窓５〜７の下方右側には、遊技媒体であるメダルが投入されるメダル投入口８が設けられている。
【００１３】
ゲーム開始に先立って、遊技者がメダル投入口８から１枚のメダルを投入したときは、中央の横１本の入賞ラインＬ１が有効化される。また、２枚投入したときは、これに上下の横２本の入賞ラインＬ２Ａ，Ｌ２Ｂが加わって横３本の入賞ラインＬ１，Ｌ２Ａ，Ｌ２Ｂが有効化される。また、３枚投入したときは、これに斜め２本の入賞ラインＬ３Ａ，Ｌ３Ｂが加わって５本の入賞ラインＬ１，Ｌ２Ａ，Ｌ２Ｂ，Ｌ３Ａ，Ｌ３Ｂの全てが有効化される。なお、以降有効化された入賞ラインを有効化入賞ラインという。
【００１４】
また、表示窓５〜７の左方には、遊技動作表示器９〜１２、ＢＥＴランプ１３〜１５、貯留枚数表示部１６、およびスタートランプ１７が設けられている。各表示器９〜１２およびＢＥＴランプ１３〜１５は遊技状況に応じて点灯制御され、その時の遊技状況が遊技者に知らされる。貯留枚数表示部１６は、３桁の７セグメントＬＥＤ（発光ダイオード）からなり、パチスロ機１本体内部のメダルカウンタに現在クレジットされているメダル数を表示する。スタートランプ１７は各リール２〜４が作動可能な時に点滅する。
【００１５】
また、表示窓５〜７の右方には、上部から、ボーナスカウント表示部１８、ＷＩＮランプ１９、配当枚数表示部２０、およびインサートランプ２１が設けられている。ボーナスカウント表示部１８は、３桁の７セグメントＬＥＤからなり、ボーナスゲーム作動時に、ＲＢゲーム時の残り入賞可能回数などをデジタル表示する。ＷＩＮランプ１９は有効化入賞ラインにボーナスの作動に対応するシンボルの組合せが揃った時などに点灯する。配当枚数表示部２０は、３桁の７セグメントＬＥＤからなり、入賞によるメダル払い出し枚数を表示する。インサートランプ２１はメダル投入口８にメダルの投入が受付可能な時に点灯する。
【００１６】
また、表示窓５〜７の直ぐ下方には、液晶表示装置２２が設けられている。液晶表示装置２２の左側には十字キー２３、「○」ボタン２４、「×」ボタン２５、１貯留メダル投入ボタン２６、２貯留メダル投入ボタン２７、および３貯留メダル投入ボタン２８が設けられている。十字キー２３は、上下左右の４方向のスイッチ操作を検出して、液晶表示装置２２に表示される情報項目を選択する際に使用される。「○」ボタン２４は十字キー２３によって選択された情報項目を決定するボタンであり、「×」ボタン２５は十字キー２３によって選択された情報項目をキャンセルするボタンである。また、貯留メダル投入ボタン２６〜２８は、貯留枚数表示部１６にメダル数が表示されてクレジットされている際に、メダル投入口８へのメダル投入に代えて１回のゲームに１〜３枚のメダルを賭ける際に使用される。
【００１７】
また、液晶表示装置２２の下方には、左側から、貯留メダル精算ボタン２９、スタートレバー３０および停止ボタン３１，３２，３３が設けられている。貯留メダル精算ボタン２９は機械内部にクレジットされているメダルを精算する際に使用される。スタートレバー３０が遊技者に操作されることにより各リール２〜４の回転が一斉に開始する。停止ボタン３１〜３３は、各リール２〜４に対応して配置されており、これら各リール２〜４の回転が一定速度に達したときに操作が有効化され、遊技者の操作に応じて各リール２〜４の回転を停止させる。
【００１８】
また、パチスロ機１の前面扉の下部には、後述するバケット５３（図２参照）に貯蔵されたメダルが払い出されるメダル払出口３８、およびメダル払出口３８から払い出されたメダルを貯留するメダル受け皿３７が設けられている。メダル受け皿３７の左側方には灰皿３６が設けられている。また、パチスロ機１の正面上部には、入賞に対してどれだけのメダルが払い出されるかを示す配当表示部３９が設けられており、この配当表示部３９の左右には一対のスピーカ９６，９６が設けられている。
【００１９】
図２（ａ）は、パチスロ機１のキャビネット内部の構造を示す内部構造図であり、同図（ｂ）は、同図（ａ）に示すキャビネット内部に設けられる回転リールユニット６０を示している。
【００２０】
パチスロ機１のキャビネット内部のほぼ中央部には仕切板５０が水平に設けられており、この仕切板５０の上には、同図（ｂ）に示す回転リールユニット６０が載置される。回転リールユニット６０は、各リール２〜４を備えて構成されており、各リール２〜４を構成するリールドラム６１内部にはそれぞれランプケース６２が設けられている。ランプケース６２にはリールバックランプ６３ａ，６３ｂ，６３ｃが取り付けられており、これらのリールバックランプ６３ａ〜６３ｃが発光することで、各リール２〜４の外周面に描かれたシンボルが照らし出される。
【００２１】
仕切板５０の上方には、パチスロ機１の遊技処理の制御を行うメインＣＰＵ（中央演算処理装置）などを備えたメイン制御基板５１が設けられている。また、仕切板５０の下方には、入賞時や貯留メダル精算ボタン２９が操作された際に、遊技者にメダルを払い出すホッパー（メダル払出装置）５２が設けられている。ホッパー５２は、メダル投入口８に投入されたメダルを貯蔵する貯蔵部であるバケット５３を上部に備えている。ホッパー５２の右側方には、バケット５３とは別にメダルを貯蔵する補助収納庫５４が設けられている。また、同図（ａ）には図示していないが、バケット５３の手前の遊技者側には後述するメダル揚送装置８０（図４参照）が設けられている。
【００２２】
図３は、上述したメダル受け皿３７の内部構造を示しており、同図（ａ）はメダル受け皿３７を長手方向に一部破断した一部破断正面図、同図（ｂ）はメダル受け皿３７の平面図である。なお、同図において図１と同一または相当する部分には同一の符号を付してその説明は省略する。
【００２３】
メダル受け皿３７の底面７０は、メダル払出口３８の下方において、メダル受け皿３７の左方の側壁７１から右方の側壁７２にかけて下り傾斜している。底面７０と側壁７２とが接する位置には、側壁７２を貫通して底面７０と連通したメダル投入口７３が開口している。側壁７２の右方には空洞部７４が形成されており、この空洞部７４内には、メダル投入口７３にメダルＣが投入されたことを検出する図示しないメダルセンサが設けられている。また、空洞部７４内には、後述する移送ベルト８１（図４参照）の一部が配設されている。所定枚数のメダルＣがメダル投入口７３に投入されたことがメダルセンサによって検出されると、上述したメダル投入口８にメダルＣが投入された場合と同様、メダルＣの投入枚数に応じて入賞ラインＬ１，Ｌ２Ａ，Ｌ２Ｂ，Ｌ３Ａ，Ｌ３Ｂが有効化される。また、パチスロ機１本体内部のメダルカウンタにクレジットされてゲームが行なわれている状態では、メダル投入口７３にメダルＣが投入されたことがメダルセンサによって検出されると、図１に示す貯留枚数表示部１６に表示されるメダル数がメダルＣの投入枚数分増加する。
【００２４】
図４は、メダル投入口７３に投入されたメダルＣをバケット５３に揚送するメダル揚送装置８０の構造の概略を示す側面図である。なお、同図において前面扉およびキャビネットの図示は省略してある。また、メダル受け皿３７の側面部分は、一部破断して図示してある。
【００２５】
メダル揚送装置８０は、パチスロ機１のキャビネット内部において、メダル受け皿３７のメダル投入口７３とバケット５３との間に配置されており、メダル投入口７３に投入されたメダルＣをバケット５３に揚送する遊技媒体揚送部を構成している。メダル揚送装置８０は、移送ベルト８１と移送ベルト８３とを備えて構成されている。移送ベルト８１は、メダル投入口７３に投入されてメダル投入口７３から落下したメダルＣを受ける水平移送部８１ａ、およびメダルＣをバケット５３の上方まで揚送する垂直揚送部８１ｂを有している。移送ベルト８３は、移送ベルト８１の垂直揚送部８１ｂと対面して設けられている。各移送ベルト８１，８３は、ローラ８２ａ，８２ｂ，８２ｃおよびローラ８４ａ，８４ｂ，８４ｃ，８４ｄ，８４ｅによってそれぞれ張り渡されている。メダルＣがメダル投入口７３に投入されたことがメダルセンサによって検出されると、図示しないモータによって各ローラ８２ａ〜８２ｃおよび８４ａ〜８４ｅは回転駆動され、各移送ベルト８１，８３は、それぞれ同図に矢印で示す向きに動き出す。そして、メダル投入口７３から受けたメダルＣをバケット５３に揚送する。
【００２６】
上記の構成において、有効化入賞ラインに所定のシンボル組合せが揃って入賞が成立すると、所定枚数のメダルＣがメダル払出口３８から払い出され、払い出されたメダルＣはメダル受け皿３７に貯留される。メダル受け皿３７に貯留されたメダルＣは、その自重により、図３（ａ）に矢印で示すように底面７０上を右方の側壁７２方向へ滑り落ちていき、メダル投入口７３にそのまま突入し、メダル投入口７３を貫通する。このようにしてメダル投入口７３に投入されたメダルＣは、移送ベルト８１，８３によってバケット５３上方まで揚送され、図４に矢印で示すようにバケット５３内に落下して貯蔵される。
【００２７】
このような本実施形態によるパチスロ機１によれば、上述したように、メダル払出口３８からメダル受け皿３７に払い出されたメダルＣは、その自重により、メダル受け皿３７の底面７０上においてその左方の側壁７１から右方の側壁７２に向かう方向に滑り落ちていき、メダル投入口７３にそのまま投入される。このため、メダル受け皿３７に払い出されるメダルＣは自動的にメダル投入口７３に投入されるようになり、従来のように貯留されたメダルＣを手でかき集めて整列させ、さらに機器前面方向へメダルＣをスライドさせるといった手間がかからなくなるため、メダルＣの投入作業が簡略化される。
【００２８】
また、本実施形態では、メダル投入口７３に投入されたメダルＣは、メダル揚送装置８０によってバケット５３に揚送され、バケット５３内部に貯蔵される。このため、メダル投入口７３がバケット５３より低い位置にあってもメダルＣをバケット５３まで移動させることができるため、メダル投入口７３が形成されたメダル受け皿３７を機器前面下部に配置することができるようになる。
【００２９】
なお、上記の実施形態においては、メダル受け皿３７の底面７０が左方の側壁７１から右方の側壁７２にかけて下り傾斜しており、右方の側壁７２と底面７０とが接する位置にメダル投入口７３が形成されている場合を説明したが、本発明はこれに限られるものではない。メダル受け皿３７の底面７０が右方の側壁７２から左方の側壁７１にかけて下り傾斜し、左方の側壁７１と底面７０とが接する位置にメダル投入口７３が形成されていても構わない。
【００３０】
また、上記の実施形態においては、移送ベルト８１，８３によってメダルＣをバケット５３に揚送するメダル揚送装置８０を用いた場合を説明したが、メダルＣをバケット５３に揚送する構造であればメダル揚送装置８０はどのような構成であっても構わない。また、バケット５３がメダル投入口７３の下方に位置するように構成すれば、メダル受け皿３７およびメダル投入口７３の位置は高くなるが、メダル揚送装置８０は不要となる。
【００３１】
また、上記の実施形態においては、表示窓５〜７の下方右側およびメダル受け皿３７にメダル投入口８およびメダル投入口７３がそれぞれ設けられている場合を説明したが、メダル投入口８が無くてメダル投入口７３だけが設けられた構成であっても構わない。
【産業上の利用可能性】
【００３２】
上記の実施形態においては、本発明による遊技機をパチスロ機に適用した場合を説明したが、払い出された遊技媒体を貯留する受け皿を備えた他の遊技機に本発明を適用することも可能である。このような遊技機に本発明を適用した場合においても、上記の実施形態と同様な作用効果が奏される。
【図面の簡単な説明】
【００３３】
【図１】本発明の一実施形態によるパチスロ機の外観を示す正面図である。
【図２】図１に示すパチスロ機のキャビネット内部の構造を示す内部構造図である。
【図３】図１に示すパチスロ機のメダル受け皿の内部構造を示しており、（ａ）はその一部破断正面図、（ｂ）はその平面図である。
【図４】図１に示すパチスロ機に備えられるメダル揚送装置の構造の概略を示す側面図である。
【符号の説明】
【００３４】
１…パチスロ機
８，７３…メダル投入口
１６…貯留枚数表示部
３７…メダル受け皿
３８…メダル払出口
５２…ホッパー
５３…バケット
７０…底面
７１，７２…側壁
７４…空洞部
８０…メダル揚送装置
８１，８３…移送ベルト
８１ａ…水平移送部
８１ｂ…垂直揚送部
８２ａ〜８２ｃ，８４ａ〜８４ｅ…ローラ
Ｃ…メダル
【図１】
2006197984.tif 000003
【図２】
2006197984.tif 000004
【図３】
2006197984.tif 000005
【図４】
2006197984.tif 000006